(57)【要約】【課題】無線ＬＡＮのリンク確立をより迅速に行うことができ、結果として、ユーザにとって使い勝手の良いクライアント・サーバシステムを提供する。【解決手段】  クライアント端末装置４とサーバ装置２とが無線ＬＡＮの複数のチャンネルのうちの何れか一を介して通信を行うクライアント・サーバシステム１００であって、サーバ装置２は、クライアント端末装置４と非接続状態にて、複数のチャンネルの使用状況を検索し、当該検索結果に基づいて、複数のチャンネルの使用における優先順位を決定し、クライアント端末装置４との接続に際して、決定された優先順位に基づいて、当該優先順位の高いチャンネルから順に無線ＬＡＮにおける使用チャンネルとして設定する。【選択図】図１
2007134974.tif 000002
【特許請求の範囲】
【請求項１】
クライアント端末装置とサーバ装置とが無線ＬＡＮの複数のチャンネルのうちの何れか一を介して接続され通信を行うクライアント・サーバシステムであって、
前記サーバ装置は、
前記クライアント端末装置と非接続状態にて、前記複数のチャンネルの使用状況を検索するチャンネル使用状況検索手段と、
前記チャンネル使用状況検索手段による検索結果に基づいて、前記複数のチャンネルの使用における優先順位を決定する優先順位決定手段と、
前記クライアント端末装置との接続に際して、前記優先順位決定手段により決定された前記優先順位に基づいて、当該優先順位の高いチャンネルから順に前記無線ＬＡＮにおける使用チャンネルとして設定するサーバ側使用チャンネル設定手段と、
前記優先順位決定手段により決定された前記優先順位に係る優先順位情報を記憶するサーバ側優先順位情報記憶手段と、
前記優先順位決定手段により前記複数のチャンネルの使用における優先順位が決定される毎に、前記サーバ側優先順位情報記憶手段に記憶される前記優先順位情報を更新するサーバ側優先順位情報更新手段と、
前記クライアント端末装置と接続状態にて、前記優先順位情報記憶手段から読み出された前記優先順位情報を前記クライアント端末装置に送信する優先順位情報送信手段と、
前記チャンネル使用状況検索手段による前記複数のチャンネルの使用状況の検索時に係る検索時間情報を取得する検索時間情報取得手段と、を備え、
前記優先順位情報送信手段は、前記検索時間情報取得手段により取得された前記検索時間情報を含む前記優先順位情報を前記クライアント端末装置に送信し、
前記クライアント端末装置は、
前記優先順位情報送信手段から送信された前記優先順位情報を受信する優先順位情報受信手段と、
前記優先順位情報受信手段により受信された前記優先順位情報を記憶するクライアント側優先順位情報記憶手段と、
前記優先順位情報受信手段により前記優先順位情報が受信される毎に、前記クライアント側優先順位情報記憶手段に記憶される前記優先順位情報を更新するクライアント側優先順位情報更新手段と、
前記サーバ装置との再接続に際して、前記クライアント側優先順位情報記憶手段に記憶された前記優先順位情報に係る前記優先順位に基づいて、当該優先順位の高いチャンネルから順に前記無線ＬＡＮにおける使用チャンネルとして設定するクライアント側使用チャンネル設定手段と、を備えることを特徴とするクライアント・サーバシステム。
【請求項２】
クライアント端末装置とサーバ装置とが無線ＬＡＮの複数のチャンネルのうちの何れか一を介して接続され通信を行うクライアント・サーバシステムであって、
前記サーバ装置は、
前記クライアント端末装置と非接続状態にて、前記複数のチャンネルの使用状況を検索するチャンネル使用状況検索手段と、
前記チャンネル使用状況検索手段による検索結果に基づいて、前記複数のチャンネルの使用における優先順位を決定する優先順位決定手段と、
前記クライアント端末装置との接続に際して、前記優先順位決定手段により決定された前記優先順位に基づいて、当該優先順位の高いチャンネルから順に前記無線ＬＡＮにおける使用チャンネルとして設定するサーバ側使用チャンネル設定手段と、
を備えることを特徴とするクライアント・サーバシステム。
【請求項３】
前記サーバ装置は、
前記クライアント端末装置と接続状態にて、前記優先順位決定手段により決定された前記優先順位に係る優先順位情報を前記クライアント端末装置に送信する優先順位情報送信手段を備え、
前記クライアント端末装置は、
前記優先順位情報送信手段から送信された前記優先順位情報を受信する優先順位情報受信手段と、
前記サーバ装置との再接続に際して、前記優先順位情報受信手段により受信された前記優先順位情報に係る前記優先順位に基づいて、当該優先順位の高いチャンネルから順に前記無線ＬＡＮにおける使用チャンネルとして設定するクライアント側使用チャンネル設定手段と、を備えることを特徴とする請求項２に記載のクライアント・サーバシステム。
【請求項４】
前記サーバ装置は、
前記優先順位情報を記憶するサーバ側優先順位情報記憶手段を備え、
前記優先順位情報送信手段は、前記クライアント端末装置と接続された際に前記優先順位情報記憶手段から読み出された前記優先順位情報を前記クライアント端末装置に送信し、
前記クライアント端末装置は、
前記優先順位情報送信手段から送信され前記優先順位情報受信手段により受信された前記優先順位情報を記憶するクライアント側優先順位情報記憶手段を備えることを特徴とする請求項３に記載のクライアント・サーバシステム。
【請求項５】
前記サーバ装置は、
前記優先順位決定手段により前記複数のチャンネルの使用における優先順位が決定される毎に、前記サーバ側優先順位情報記憶手段に記憶される前記優先順位情報を更新するサーバ側優先順位情報更新手段を備え、
前記クライアント端末装置は、
前記優先順位情報送信手段から送信された前記優先順位情報が前記優先順位情報受信手段により受信される毎に、前記クライアント側優先順位情報記憶手段に記憶される前記優先順位情報を更新するクライアント側優先順位情報更新手段を備えることを特徴とする請求項４に記載のクライアント・サーバシステム。
【請求項６】
前記サーバ装置は、
前記チャンネル使用状況検索手段による前記複数のチャンネルの使用状況の検索時に係る検索時間情報を取得する検索時間情報取得手段を備え、
前記優先順位情報送信手段は、前記検索時間情報取得手段により取得された前記検索時間情報を含む前記優先順位情報を前記クライアント端末装置に送信することを特徴とする請求項２〜５の何れか一項に記載のクライアント・サーバシステム。
【請求項７】
クライアント端末装置と無線ＬＡＮの複数のチャンネルのうちの何れか一を介して接続され通信を行うサーバ装置であって、
前記クライアント端末装置と非接続状態にて、前記複数のチャンネルの使用状況を検索するチャンネル使用状況検索手段と、
前記チャンネル使用状況検索手段による検索結果に基づいて、前記複数のチャンネルの使用における優先順位を決定する優先順位決定手段と、
前記クライアント端末装置との接続に際して、前記優先順位決定手段により決定された前記優先順位に基づいて、当該優先順位の高いチャンネルから順に前記無線ＬＡＮにおける使用チャンネルとして設定する使用チャンネル設定手段と、
を備えることを特徴とするサーバ装置。
【発明の詳細な説明】
【技術分野】
【０００１】
本発明は、クライアント端末装置とサーバ装置とが無線ＬＡＮにより通信を行うクライアント・サーバシステム及び当該システムを構成するサーバ装置に関する。
【背景技術】
【０００２】
従来、ビデオレコーダ、ＰＶＲ（Personal Video Recorder）、ＤＶＤ（Digital Versatile Disk）プレイヤ、オーディオ装置等のＡＶ機器が接続されたサーバ装置とテレビジョン装置等の出力装置を備えるクライアント端末装置とが無線ＬＡＮ等を介して接続されたクライアント・サーバシステムが知られている。
そして、クライアント・サーバシステムにあっては、ＡＶ機器の各種情報をサーバ装置からクライアント端末装置に伝送して、出力装置から出力するようになっている。
【０００３】
例えば、IEEE802.11a,b,g方式の無線ＬＡＮシステムの場合、サーバ装置とクライアント端末装置とが無線ＬＡＮのリンクを確立する際に、サーバ装置が複数のチャンネルのうちで何れか一のチャンネルを設定した後、クライアント端末装置がサーバ装置により設定された使用チャンネルを複数のチャンネルの中から検索するようになっている。
そこで、システムの使用チャンネルの設定において、サーバ装置が複数のチャンネルから空きチャンネルまたは最低電力干渉波のチャンネルを検索して、検索されたチャンネルを使用チャンネルとして設定する無線ＬＡＮシステムが開発されている（例えば、特許文献１参照。）。
【０００４】
また、電力の供給状態に応じてリンクの接続状態の計測を行って、その計測結果に基づいて使用チャンネルを切り替えることにより、無線通信を安定的に、且つ、効率良く行うことができるようにした無線通信モジュールの制御方法も開発されている（例えば、特許文献２参照。）。
【特許文献１】特開２００３−２４９９３５号公報
【特許文献２】特開２００３−１１０５７７号公報
【発明の開示】
【発明が解決しようとする課題】
【０００５】
ところで、上記特許文献１等の場合、リンク確立に際して、サーバ装置は複数のチャンネルの中から使用チャンネルを設定する必要があり、また、クライアント端末装置は、サーバ装置により設定された使用チャンネルの検索を行う必要があることから、電源投入後にリンク確立を迅速に行うことができないといった問題がある。かかる場合には、リンク確立が完了するまでは、サーバ装置とクライアント端末装置との間で情報の送受信を行うことができないことから、ユーザの使い勝手が悪くなってしまう。
【０００６】
そこで、本発明の課題は、無線ＬＡＮのリンク確立をより迅速に行うことができ、結果として、ユーザにとって使い勝手の良いクライアント・サーバシステム及び当該システムを構成するサーバ装置を提供することである。
【課題を解決するための手段】
【０００７】
上記課題を解決するため、請求項１に記載の発明は、
クライアント端末装置とサーバ装置とが無線ＬＡＮの複数のチャンネルのうちの何れか一を介して接続され通信を行うクライアント・サーバシステムであって、
前記サーバ装置は、
前記クライアント端末装置と非接続状態にて、前記複数のチャンネルの使用状況を検索するチャンネル使用状況検索手段と、
前記チャンネル使用状況検索手段による検索結果に基づいて、前記複数のチャンネルの使用における優先順位を決定する優先順位決定手段と、
前記クライアント端末装置との接続に際して、前記優先順位決定手段により決定された前記優先順位に基づいて、当該優先順位の高いチャンネルから順に前記無線ＬＡＮにおける使用チャンネルとして設定するサーバ側使用チャンネル設定手段と、
前記優先順位決定手段により決定された前記優先順位に係る優先順位情報を記憶するサーバ側優先順位情報記憶手段と、
前記優先順位決定手段により前記複数のチャンネルの使用における優先順位が決定される毎に、前記サーバ側優先順位情報記憶手段に記憶される前記優先順位情報を更新するサーバ側優先順位情報更新手段と、
前記クライアント端末装置と接続状態にて、前記優先順位情報記憶手段から読み出された前記優先順位情報を前記クライアント端末装置に送信する優先順位情報送信手段と、
前記チャンネル使用状況検索手段による前記複数のチャンネルの使用状況の検索時に係る検索時間情報を取得する検索時間情報取得手段と、を備え、
前記優先順位情報送信手段は、前記検索時間情報取得手段により取得された前記検索時間情報を含む前記優先順位情報を前記クライアント端末装置に送信し、
前記クライアント端末装置は、
前記優先順位情報送信手段から送信された前記優先順位情報を受信する優先順位情報受信手段と、
前記優先順位情報受信手段により受信された前記優先順位情報を記憶するクライアント側優先順位情報記憶手段と、
前記優先順位情報受信手段により前記優先順位情報が受信される毎に、前記クライアント側優先順位情報記憶手段に記憶される前記優先順位情報を更新するクライアント側優先順位情報更新手段と、
前記サーバ装置との再接続に際して、前記クライアント側優先順位情報記憶手段に記憶された前記優先順位情報に係る前記優先順位に基づいて、当該優先順位の高いチャンネルから順に前記無線ＬＡＮにおける使用チャンネルとして設定するクライアント側使用チャンネル設定手段と、を備えることを特徴としている。
【０００８】
請求項２に記載の発明は、
クライアント端末装置とサーバ装置とが無線ＬＡＮの複数のチャンネルのうちの何れか一を介して接続され通信を行うクライアント・サーバシステムであって、
前記サーバ装置は、
前記クライアント端末装置と非接続状態にて、前記複数のチャンネルの使用状況を検索するチャンネル使用状況検索手段と、
前記チャンネル使用状況検索手段による検索結果に基づいて、前記複数のチャンネルの使用における優先順位を決定する優先順位決定手段と、
前記クライアント端末装置との接続に際して、前記優先順位決定手段により決定された前記優先順位に基づいて、当該優先順位の高いチャンネルから順に前記無線ＬＡＮにおける使用チャンネルとして設定するサーバ側使用チャンネル設定手段と、
を備えることを特徴としている。
【０００９】
請求項３に記載の発明は、請求項２に記載のクライアント・サーバシステムにおいて、
前記サーバ装置は、
前記クライアント端末装置と接続状態にて、前記優先順位決定手段により決定された前記優先順位に係る優先順位情報を前記クライアント端末装置に送信する優先順位情報送信手段を備え、
前記クライアント端末装置は、
前記優先順位情報送信手段から送信された前記優先順位情報を受信する優先順位情報受信手段と、
前記サーバ装置との再接続に際して、前記優先順位情報受信手段により受信された前記優先順位情報に係る前記優先順位に基づいて、当該優先順位の高いチャンネルから順に前記無線ＬＡＮにおける使用チャンネルとして設定するクライアント側使用チャンネル設定手段と、を備えることを特徴としている。
【００１０】
請求項４に記載の発明は、請求項３に記載のクライアント・サーバシステムにおいて、
前記サーバ装置は、
前記優先順位情報を記憶するサーバ側優先順位情報記憶手段を備え、
前記優先順位情報送信手段は、前記クライアント端末装置と接続された際に前記優先順位情報記憶手段から読み出された前記優先順位情報を前記クライアント端末装置に送信し、
前記クライアント端末装置は、
前記優先順位情報送信手段から送信され前記優先順位情報受信手段により受信された前記優先順位情報を記憶するクライアント側優先順位情報記憶手段を備えることを特徴としている。
【００１１】
請求項５に記載の発明は、請求項４に記載のクライアント・サーバシステムにおいて、
前記サーバ装置は、
前記優先順位決定手段により前記複数のチャンネルの使用における優先順位が決定される毎に、前記サーバ側優先順位情報記憶手段に記憶される前記優先順位情報を更新するサーバ側優先順位情報更新手段を備え、
前記クライアント端末装置は、
前記優先順位情報送信手段から送信された前記優先順位情報が前記優先順位情報受信手段により受信される毎に、前記クライアント側優先順位情報記憶手段に記憶される前記優先順位情報を更新するクライアント側優先順位情報更新手段を備えることを特徴としている。
【００１２】
請求項６に記載の発明は、請求項２〜５の何れか一項に記載のクライアント・サーバシステムにおいて、
前記サーバ装置は、
前記チャンネル使用状況検索手段による前記複数のチャンネルの使用状況の検索時に係る検索時間情報を取得する検索時間情報取得手段を備え、
前記優先順位情報送信手段は、前記検索時間情報取得手段により取得された前記検索時間情報を含む前記優先順位情報を前記クライアント端末装置に送信することを特徴としている。
【００１３】
請求項７に記載の発明は、
クライアント端末装置と無線ＬＡＮの複数のチャンネルのうちの何れか一を介して接続され通信を行うサーバ装置であって、
前記クライアント端末装置と非接続状態にて、前記複数のチャンネルの使用状況を検索するチャンネル使用状況検索手段と、
前記チャンネル使用状況検索手段による検索結果に基づいて、前記複数のチャンネルの使用における優先順位を決定する優先順位決定手段と、
前記クライアント端末装置との接続に際して、前記優先順位決定手段により決定された前記優先順位に基づいて、当該優先順位の高いチャンネルから順に前記無線ＬＡＮにおける使用チャンネルとして設定する使用チャンネル設定手段と、
を備えることを特徴としている。
【発明の効果】
【００１４】
請求項１に記載の発明によれば、サーバ装置が、クライアント端末装置と非接続状態にて、チャンネル使用状況検索手段により無線ＬＡＮの複数のチャンネルの使用状況を検索し、当該検索結果に基づいて、優先順位決定手段により複数のチャンネルの使用における優先順位を決定し、決定された優先順位に基づいて、サーバ側使用チャンネル設定手段により、当該優先順位の高いチャンネルから順に無線ＬＡＮにおける使用チャンネルとして設定することができる。これにより、クライアント端末装置とサーバ装置との無線ＬＡＮのリンク確立に際して、予めサーバ装置にて無線ＬＡＮの複数のチャンネルの使用状況を考慮して使用チャンネルを設定することができることとなって、無線ＬＡＮのリンク確立をより迅速に行うことができ、結果として、ユーザにとって使い勝手の良いクライアント・サーバシステムを提供することができる。
また、サーバ装置が、クライアント端末装置と接続状態にて、優先順位情報記憶手段から読み出された優先順位情報を優先順位情報送信手段によりクライアント端末装置に送信することができる。また、クライアント端末装置が、優先順位情報受信手段により受信された優先順位情報に係る優先順位に基づいて、クライアント側使用チャンネル設定手段により当該優先順位の高いチャンネルから順に無線ＬＡＮにおける使用チャンネルとして設定することができる。従って、クライアント端末装置にあっては、サーバ装置との無線ＬＡＮのリンク切断後に再度リンクを確立する場合に、クライアント端末装置とサーバ装置との無線ＬＡＮのリンク確立に際して、受信された優先順位情報に基づいて無線ＬＡＮの複数のチャンネルの使用状況を考慮して使用チャンネルを設定することができる。
さらに、サーバ装置にあっては、優先順位情報を記憶するサーバ側優先順位情報記憶手段を備えるので、クライアント端末装置との無線ＬＡＮのリンクを確立する際に、記憶された優先順位情報に基づいて使用チャンネルの設定をより迅速に行うことができるとともに、クライアント端末装置と接続された際に優先順位情報送信手段により優先順位情報記憶手段から読み出された優先順位情報をクライアント端末装置に送信することができる。
また、クライアント端末装置にあっては、優先順位情報受信手段により受信された優先順位情報を記憶するクライアント側優先順位情報記憶手段を備えるので、サーバ装置との無線ＬＡＮのリンク切断後に再度リンクを確立する場合に、記憶された優先順位情報に基づいて使用チャンネルの設定をより迅速に行うことができる。
さらに、サーバ装置にあっては、複数のチャンネルの使用における優先順位が決定される毎に、サーバ側優先順位情報更新手段によりサーバ側優先順位情報記憶手段に記憶される優先順位情報を更新することができるので、更新された優先順位情報に基づいて使用チャンネルの設定をより適正に行うことができる。
また、クライアント端末装置にあっては、優先順位情報送信手段から送信された優先順位情報が優先順位情報受信手段により受信される毎に、クライアント側優先順位情報更新手段によりクライアント側優先順位情報記憶手段に記憶される優先順位情報を更新することができるので、サーバ装置との無線ＬＡＮのリンク切断後に再度リンクを確立する場合に、更新された優先順位情報に基づいて使用チャンネルの設定をより適正に行うことができる。
さらに、サーバ装置は、検索時間情報取得手段により、チャンネル使用状況検索手段による複数のチャンネルの使用状況の検索時に係る検索時間情報を取得することができるので、当該検索時間情報に基づいて所定時間における複数のチャンネルの使用状況を取得することができ、時間帯に応じて使用チャンネルの設定をより適正に行うことができる。
また、優先順位情報送信手段により、検索時間情報取得手段により取得された検索時間情報を含む優先順位情報がクライアント端末装置に送信されるので、クライアント端末装置にあっては、サーバ装置との無線ＬＡＮのリンク切断後に再度リンクを確立する場合に、取得した検索時間情報に基づいて使用チャンネルの設定を時間帯に応じてより適正に行うことができる。
【００１５】
請求項２に記載の発明によれば、サーバ装置が、クライアント端末装置と非接続状態にて、チャンネル使用状況検索手段により無線ＬＡＮの複数のチャンネルの使用状況を検索し、当該検索結果に基づいて、優先順位決定手段により複数のチャンネルの使用における優先順位を決定し、決定された優先順位に基づいて、サーバ側使用チャンネル設定手段により、当該優先順位の高いチャンネルから順に無線ＬＡＮにおける使用チャンネルとして設定することができる。これにより、クライアント端末装置とサーバ装置との無線ＬＡＮのリンク確立に際して、予めサーバ装置にて無線ＬＡＮの複数のチャンネルの使用状況を考慮して使用チャンネルを設定することができることとなって、無線ＬＡＮのリンク確立をより迅速に行うことができ、結果として、ユーザにとって使い勝手の良いクライアント・サーバシステムを提供することができる。
【００１６】
請求項３に記載の発明によれば、請求項２に記載の発明と同様の効果が得られるのは無論のこと、特に、サーバ装置が、クライアント端末装置と接続状態にて、決定された優先順位に係る優先順位情報を優先順位情報送信手段によりクライアント端末装置に送信することができる。また、クライアント端末装置が、優先順位情報受信手段により受信された優先順位情報に係る優先順位に基づいて、クライアント側使用チャンネル設定手段により当該優先順位の高いチャンネルから順に無線ＬＡＮにおける使用チャンネルとして設定することができる。従って、クライアント端末装置にあっては、サーバ装置との無線ＬＡＮのリンク切断後に再度リンクを確立する場合に、クライアント端末装置とサーバ装置との無線ＬＡＮのリンク確立に際して、受信された優先順位情報に基づいて無線ＬＡＮの複数のチャンネルの使用状況を考慮して使用チャンネルを設定することができる。
【００１７】
請求項４に記載の発明によれば、請求項３に記載の発明と同様の効果が得られるのは無論のこと、特に、サーバ装置にあっては、優先順位情報を記憶するサーバ側優先順位情報記憶手段を備えるので、クライアント端末装置との無線ＬＡＮのリンクを確立する際に、記憶された優先順位情報に基づいて使用チャンネルの設定をより迅速に行うことができるとともに、クライアント端末装置と接続された際に優先順位情報送信手段により優先順位情報記憶手段から読み出された優先順位情報をクライアント端末装置に送信することができる。
また、クライアント端末装置にあっては、優先順位情報受信手段により受信された優先順位情報を記憶するクライアント側優先順位情報記憶手段を備えるので、サーバ装置との無線ＬＡＮのリンク切断後に再度リンクを確立する場合に、記憶された優先順位情報に基づいて使用チャンネルの設定をより迅速に行うことができる。
【００１８】
請求項５に記載の発明によれば、請求項４に記載の発明と同様の効果が得られるのは無論のこと、特に、サーバ装置にあっては、複数のチャンネルの使用における優先順位が決定される毎に、サーバ側優先順位情報更新手段によりサーバ側優先順位情報記憶手段に記憶される優先順位情報を更新することができるので、更新された優先順位情報に基づいて使用チャンネルの設定をより適正に行うことができる。
また、クライアント端末装置にあっては、優先順位情報送信手段から送信された優先順位情報が優先順位情報受信手段により受信される毎に、クライアント側優先順位情報更新手段によりクライアント側優先順位情報記憶手段に記憶される優先順位情報を更新することができるので、サーバ装置との無線ＬＡＮのリンク切断後に再度リンクを確立する場合に、更新された優先順位情報に基づいて使用チャンネルの設定をより適正に行うことができる。
【００１９】
請求項６に記載の発明によれば、請求項２〜５に記載の発明と同様の効果が得られるのは無論のこと、特に、サーバ装置は、検索時間情報取得手段により、チャンネル使用状況検索手段による複数のチャンネルの使用状況の検索時に係る検索時間情報を取得することができるので、当該検索時間情報に基づいて所定時間における複数のチャンネルの使用状況を取得することができ、時間帯に応じて使用チャンネルの設定をより適正に行うことができる。
また、優先順位情報送信手段により、検索時間情報取得手段により取得された検索時間情報を含む優先順位情報がクライアント端末装置に送信されるので、クライアント端末装置にあっては、サーバ装置との無線ＬＡＮのリンク切断後に再度リンクを確立する場合に、取得した検索時間情報に基づいて使用チャンネルの設定を時間帯に応じてより適正に行うことができる。
【００２０】
請求項７に記載の発明によれば、クライアント端末装置と非接続状態にて、チャンネル使用状況検索手段により無線ＬＡＮの複数のチャンネルの使用状況を検索し、当該検索結果に基づいて、優先順位決定手段により複数のチャンネルの使用における優先順位を決定し、決定された優先順位に基づいて、サーバ側使用チャンネル設定手段により、当該優先順位の高いチャンネルから順に無線ＬＡＮにおける使用チャンネルとして設定することができる。これにより、クライアント端末装置との無線ＬＡＮのリンク確立に際して、サーバ装置は、無線ＬＡＮの複数のチャンネルの使用状況を考慮して予め使用チャンネルを設定することができることとなって、無線ＬＡＮのリンク確立をより迅速に行うことができ、結果として、ユーザにとって使い勝手の良い装置を提供することができる。
【発明を実施するための最良の形態】
【００２１】
以下に、本発明について、図面を用いて具体的な態様を説明する。ただし、発明の範囲は、図示例に限定されない。
図１は、本発明を適用した好適な一実施形態のクライアント・サーバシステム１００の全体構成を模式的に示した図である。
本実施形態のクライアント・サーバシステム１００は、例えば、家庭内にて実現されるシステムであり、図１に示すように、各種のＡＶ機器１が接続されるサーバ装置２と、このサーバ装置２に無線ネットワークＮを介して情報通信可能に接続され、サーバ装置２から伝送された各種情報を出力する出力装置３が接続された複数（図１にあっては、３つ図示）のクライアント端末装置４等から構成されている。
【００２２】
無線ネットワークＮは、例えば、IEEE（Institute of Electrical and Electronic Engineers）802.11a,b,g規格に準じた無線ＬＡＮ（Local Area Network）を適用することができる。
【００２３】
以下に、サーバ装置２について、図２及び図３を参照して説明する。
ここで、図２は、サーバ装置２の要部構成を示すブロック図であり、図３は、サーバ装置２の情報記憶部２２に記憶されている優先順位テーブルＴを模式的に示した図である。
【００２４】
サーバ装置２は、例えば、図２に示すように、無線ネットワークＮを介してクライアント端末装置４と通信するための通信制御部２１と、無線ＬＡＮの複数のチャンネルの使用における優先順位に係る優先順位テーブルＴを記憶する情報記憶部２２と、ＡＶ機器１から出力された各種情報が入力される入力部２３と、各種情報を符号化するエンコーダ２４と、計時部２５と、ＣＰＵ２６と、ＲＡＭ２７と、ＲＯＭ２８等を備えている。
【００２５】
通信制御部２１は、例えば、ＣＰＵ２６の制御下にて無線ネットワークＮを介してクライアント端末装置４との間で各種情報の送受信を行うものであり、具体的には、クライアント端末装置４との間で無線信号の送受信を行うためのアンテナ２１ａや、電波の送受信をコントロールするメディア・アクセス・コントローラ（ＭＡＣ）２１ｂなどを備えるIEEE802.11a,b,g規格に準じた無線ＬＡＮカード２１１等を備えている。
なお、通信制御部２１は、例えば、アンテナ２１ａを介して送信される信号を増幅する信号増幅部（図示略）を備えても良い。また、通信制御部２１は、例えば、情報の送受信に際して送信及び受信に係る機能を切り替えるためのスイッチ（図示略）を備えても良い。
【００２６】
ＭＡＣ２１ｂは、チャンネル使用状況検索手段として、例えば、当該サーバ装置２とクライアント端末装置４とが無線リンクを確立していない非接続状態にて、所定規格の無線ＬＡＮの複数のチャンネルの各々の使用状況（空き状況）を検索するようになっている。具体的には、ＭＡＣ２１ｂは、例えば、各チャンネルの電界強度やエラーレートなどを検出して、各チャンネルにおいて他のシステムにおける無線リンクと電波干渉が生じるか否かを判定して、その判定結果に応じて各チャンネルの使用状況を検索するようになっている。
【００２７】
また、ＭＡＣ２１ｂは、優先順位決定手段として、複数のチャンネルの使用状況の検索結果に基づいて、当該複数のチャンネルの使用における優先順位を決定するようになっている。
ここで、ＭＡＣ２１ｂによる優先順位の決定は、例えば、所定時間毎に行われるようになっているのが好ましい。即ち、一日の時間帯に応じて、チャンネルの使用状況が異なる場合があることから、例えば、計時部２５により計時される略一時間毎に複数のチャンネルの使用状況の検索を行って、当該チャンネルの優先順位を決定することが好ましい。
なお、決定された優先順位は、ＣＰＵ２６の制御下にて、情報記憶部２２に送信され優先順位テーブルＴ（後述）として記憶されるようになっている。
【００２８】
また、ＭＡＣ２１ｂは、サーバ側使用チャンネル設定手段として、クライアント端末装置４との接続に際して、決定された優先順位に基づいて、当該優先順位の高いチャンネルから順に無線ＬＡＮにおける使用チャンネルとして設定するようになっている。具体的には、ＭＡＣ２１ｂは、当該サーバ装置２の電源投入時や無線リンク確立時において、優先順位テーブルＴに規定された優先順位の最も高いチャンネルを使用チャンネルとして設定して、設定されたチャンネル上で所定の同期確立信号（ビーコン信号）を略一定間隔で送信する。このとき、最も優先順位の高いチャンネルが他の無線リンクにて使用中であると判断した場合には、ＭＡＣ２１ｂは、順次、優先順位テーブルＴから次に優先順位の高いチャンネルを使用チャンネルとして設定するようになっている。
【００２９】
また、通信制御部２１は、優先順位情報送信手段として、例えば、当該サーバ装置２とクライアント端末装置４とが無線リンクを確立した接続状態にて、ＣＰＵ２６の制御下にて決定された複数のチャンネルの使用における優先順位に係る優先順位テーブルＴをクライアント端末装置４に送信するようになっている。
さらに、通信制御部２１は、例えば、ＡＶ機器１から入力部２３を介して入力されてエンコーダ２４により符号化された各種の画像情報や音情報をクライアント端末装置４に対して送信するようになっている。
【００３０】
情報記憶部２２は、例えば、書き換え可能なメモリーカード等の記録媒体やＨＤＤ等が適用され、サーバ側優先順位情報記憶手段として、優先順位（PRIORITY）とチャンネル（ａ〜ｅ）と受信信号強度（ＲＳＳＩ；ｄＢ）とが対応付けられた優先順位テーブルＴ（図３参照）を記憶するものである。
ここで、図３にあっては、優先順位テーブルＴとして、１０：００〜１１：００の時間帯におけるものを図示したが、他の時間帯のものが当該情報記憶部２２に記憶されていても良い。
なお、情報記憶部２２は、当該装置本体に内蔵されるものであっても良いし、無線或いは有線で外部に接続されるものであっても良い。
【００３１】
エンコーダ２４は、例えば、ＡＶ機器１から入力されてクライアント端末装置４に送信される各種情報を所定のファイル形式（ＪＰＥＧ（Joint Photographic Experts Group）形式やＭＰＥＧ−２（Moving Picture Experts Group phase 2）形式）の画像情報に符号化するものである。
なお、各種のＡＶ機器１としては、例えば、ビデオレコーダ、ＰＶＲ（Personal Video Recorder）、ＤＶＤ（Digital Versatile Disk）プレイヤ、オーディオ装置、ＢＳ（Broadcasting Satellite）放送やＣＳ（Communication Satellite）放送のチューナ、ＳＴＢ（Set Top Box）などを適用することができる。
【００３２】
計時部２５は、例えば、リアルタイムクロック等が適用され、各種処理、例えばチャンネルの使用における優先順位を決定する処理の実行時を計時するものである。
【００３３】
ＣＰＵ（Central Processing Unit）２６は、サーバ装置２の各部を統括的に制御するものであり、ＲＯＭ２８に記憶されている各種プログラムを読み出してＲＡＭ２７の作業領域に展開し、当該プログラムに従って各種処理を実行するようになっている。
【００３４】
ＲＡＭ（Random Access Memory）２７は、例えば、書き換え可能なメモリであり、ＣＰＵ２６の制御下にてＲＯＭ２８から読み出されたプログラムや各種データ等の格納領域や作業領域等を構成している。
【００３５】
ＲＯＭ（Read Only Memory）２８は、例えば、データの読み出し専用のメモリであり、ＣＰＵ２６の制御下にて実行される各種プログラム、各プログラムの処理に係るデータ等を記憶している。具体的には、ＲＯＭ２８には、ＣＰＵ２６に、サーバ側優先順位情報更新手段として、ＭＡＣ２１ｂにより複数のチャンネルの使用における優先順位が決定される毎に、情報記憶部２２に記憶された優先順位テーブルＴの情報を更新する処理に係る機能を実現させる優先順位テーブル更新プログラム２８ａが記憶されている。
即ち、当該サーバ装置２とクライアント端末装置４との無線リンクが切断されて非接続状態となった場合に、ＭＡＣ２１ｂが、所定のタイミングで無線ＬＡＮの複数のチャンネルの各々の使用状況を検索して、その優先順位を決定した後、ＣＰＵ２６は、優先順位テーブル更新プログラム２８ａの実行に基づいて、優先順位テーブルＴの情報を最新の情報に更新するようになっている。
【００３６】
次に、クライアント端末装置４について、図４を参照して説明する。ここで、図４は、クライアント端末装置４の要部構成を示すブロック図である。
クライアント端末装置４は、例えば、図４に示すように、無線ネットワークＮを介してサーバ装置２と通信するための通信制御部４１と、この通信制御部４１を介して受信した優先順位テーブルＴを記憶する情報記憶部４２と、通信制御部４１により受信した符号化された各種の情報を復号化するデコーダ４３と、各種情報を出力装置３に出力する出力部４４と、ＣＰＵ４５と、ＲＡＭ４６と、ＲＯＭ４７等を備えている。
【００３７】
通信制御部４１は、例えば、サーバ装置２に備わる通信制御部２１とほぼ同様に、アンテナ４１ａやＭＡＣ４１ｂ等を備える無線ＬＡＮカード４１１等を備えており、無線ネットワークＮを介してサーバ装置２との間で各種情報の送受信を行うものである。
具体的には、通信制御部４１は、優先順位情報受信手段として、例えば、サーバ装置２の通信制御部２１から送信された優先順位テーブルＴを受信するようになっている。
なお、受信された優先順位テーブルＴは、情報記憶部４２に送信されて記憶されるようになっている。
【００３８】
ＭＡＣ４１ｂは、クライアント側使用チャンネル設定手段として、例えば、サーバ装置２のＭＡＣ２１ｂと略同様に、サーバ装置２との再接続に際して、当該通信制御部４１を介して受信した優先順位テーブルＴに規定されたチャンネルの優先順位に基づいて、当該優先順位の高いチャンネルから順に無線ＬＡＮにおける使用チャンネルとして設定するようになっている。
【００３９】
情報記憶部４２は、例えば、サーバ装置２に備わる情報記憶部２２とほぼ同様の構成となっており、クライアント側優先順位情報記憶手段として、通信制御部４１を介して受信された優先順位テーブルＴを記憶するものである。
【００４０】
デコーダ４３は、例えば、通信制御部４１により受信した符号化された各種情報に対して当該情報のファイル形式に応じた処理を施し、符号化された情報から所定の情報に復号化するものである。
【００４１】
出力部４４は、例えばテレビジョン装置等の出力装置３の入力端子（図示略）と接続される出力端子（図示略）を備え、デコーダ４３により複合化された画像情報や音情報などを出力装置３に対して出力するものである。
なお、出力装置３は、テレビジョン装置等の一般的なものであり、その詳細な説明については省略するものとする。
【００４２】
ＣＰＵ４５は、クライアント端末装置４の各部を統括的に制御するものであり、ＲＯＭ４７に記憶されている各種プログラムを読み出してＲＡＭ４６の作業領域に展開し、当該プログラムに従って各種処理を実行するようになっている。
【００４３】
ＲＡＭ４６は、例えば、書き換え可能なメモリであり、ＣＰＵ４５の制御下にてＲＯＭ４７から読み出されたプログラムや各種データ等の格納領域や作業領域等を構成している。
【００４４】
ＲＯＭ４７は、例えば、データの読み出し専用のメモリであり、ＣＰＵ４５の制御下にて実行される各種プログラム、各プログラムの処理に係るデータ等を記憶している。具体的には、ＲＯＭ４７には、ＣＰＵ４５に、クライアント側優先順位情報更新手段として、サーバ装置２の通信制御部２１から送信された優先順位テーブルＴを通信制御部４１を介して受信する毎に、情報記憶部４２に記憶された優先順位テーブルＴの情報を更新する処理に係る機能を実現させる優先順位テーブル更新プログラム４７ａが記憶されている。
即ち、サーバ装置２のＭＡＣ２１ｂによる優先順位テーブルＴが更新された後、サーバ装置２とクライアント端末装置４との無線リンクが接続状態となることでサーバ装置２の通信制御部２１から送信された優先順位テーブルＴを当該クライアント端末装置４の通信制御部４１を介して受信する毎に、ＣＰＵ４５は、優先順位テーブル更新プログラム４７ａの実行に基づいて、予め情報記憶部４２に記憶されている優先順位テーブルＴの情報を更新するようになっている。
【００４５】
次に、クライアント・サーバシステム１００によるリンク確立処理について、図５及び図６を参照して説明する。
ここで、図５及び図６は、リンク確立処理に係る動作の一例を示すフローチャートである。具体的には、図５にあっては、サーバ装置２とクライアント端末装置４とが初めて無線リンクを確立する初回のリンク確立処理を示し、図６にあっては、無線リンクの確立を再度行う二回目以降のリンク確立処理であって、優先順位テーブルＴを更新する場合を示すものである。
なお、サーバ装置２とクライアント端末装置４とは、同一のＩＤが設定されており、自システムと他のシステムとを識別することができるようになっているものとする。
【００４６】
先ず、図５を参照して、初回のリンク確立処理について説明する。
サーバ装置２の電源が投入された後、未だサーバ装置２とクライアント端末装置４との無線リンクが確立していない状態では、通信制御部２１のＭＡＣ２１ｂは、無線ＬＡＮの複数のチャンネルの各々の使用状況（空き状況）を検索する（ステップＳ１）。
次に、ＭＡＣ２１ｂは、複数のチャンネルの使用状況の検索結果に基づいて、当該複数のチャンネルの使用における優先順位を決定する（ステップＳ２）。
そして、優先順位が決定されると、ＣＰＵ２６の制御下にて、優先順位テーブルＴとして情報記憶部２２に記憶される（ステップＳ３）。
【００４７】
その後、ＭＡＣ２１ｂは、優先順位テーブルＴの優先順位に基づいて、当該優先順位の高いチャンネルから順に無線ＬＡＮにおける使用チャンネルとして設定し、設定された使用チャンネル上で所定の同期確立信号を略一定間隔で送信する（ステップＳ４）。
そして、クライアント端末装置４の電源が投入された後、通信制御部４１のＭＡＣ４１ｂが、複数のチャンネルを順に検索して、サーバ装置２の通信制御部２１から送信される同期確立信号を受信した場合に（ステップＳ５）、当該同期確立信号に係るチャンネルを特定して、使用チャンネルとして設定する（ステップＳ６）。
続けて、サーバ装置２とクライアント端末装置４とが当該使用チャンネルにて無線リンクが確立されると（ステップＳ７）、サーバ装置２の通信制御部２１は、ＣＰＵ２６の制御下にて、優先順位テーブルＴをクライアント端末装置４に対して送信する（ステップＳ８）。
【００４８】
クライアント端末装置４にあっては、サーバ装置２から送信された優先順位テーブルＴが通信制御部４１を介して受信されると（ステップＳ９）、ＣＰＵ４５は、当該優先順位テーブルＴを情報記憶部４２に送信して記憶する（ステップＳ１０）。
【００４９】
また、同期確立信号を送信しても無線リンクが確立されなかった場合には、サーバ装置２のＭＡＣ２１ｂは、一時間経過する毎に（ステップＳ１１；ＹＥＳ）、複数のチャンネルの使用状況の検索を行って、当該チャンネルの優先順位を決定する処理を行う（ステップＳ１２）。
【００５０】
次に、図６を参照して、二回目以降のリンク確立処理について説明する。
以下の説明では、優先順位テーブルＴに予め所定の時間における優先順位情報が記憶されているものとする。
【００５１】
サーバ装置２の電源が投入された後、サーバ装置２とクライアント端末装置４との無線リンクが確立していない状態では、通信制御部２１のＭＡＣ２１ｂは、情報記憶部２２に記憶されている優先順位テーブルＴの優先順位に基づいて、当該優先順位の高いチャンネルから順に無線ＬＡＮにおける使用チャンネルとして設定し、設定された使用チャンネル上で所定の同期確立信号を略一定間隔で送信する（ステップＳ２１）。
このとき、クライアント端末装置４の電源が投入され無線リンクの確立が指示されると、通信制御部４１のＭＡＣ４１ｂは、情報記憶部４２に記憶されている優先順位テーブルＴの優先順位に従って複数のチャンネルを検索していく（ステップＳ２２）。そして、所定のチャンネルにおいてサーバ装置２の通信制御部２１から送信される同期確立信号を通信制御部４１を介して受信すると（ステップＳ２３）、ＭＡＣ４１ｂは、当該同期確立信号に係るチャンネルを使用チャンネルとして設定する（ステップＳ２４）。続けて、サーバ装置２とクライアント端末装置４とは、当該使用チャンネルにて無線リンクを確立する（ステップＳ２５）。
【００５２】
また、同期確立信号を送信しても無線リンクが確立されなかった場合には、サーバ装置２のＭＡＣ２１ｂは、一時間経過する毎に（ステップＳ２６；ＹＥＳ）、無線ＬＡＮの複数のチャンネルの各々の使用状況を再検索する処理を行う（ステップＳ２７）。続けて、ＭＡＣ２１ｂは、複数のチャンネルの使用状況の検索結果に基づいて、当該複数のチャンネルの使用における優先順位を決定する（ステップＳ２８）。
そして、優先順位が決定されると、ＣＰＵ２６は、優先順位テーブル更新プログラム２８ａを実行して、情報記憶部２２に記憶されている優先順位テーブルＴの情報を最新の情報に更新する（ステップＳ２９）。
【００５３】
その後、ＭＡＣ２１ｂは、更新済の優先順位テーブルＴの優先順位に基づいて、当該優先順位の高いチャンネルから順に無線ＬＡＮにおける使用チャンネルとして設定し、設定された使用チャンネル上で所定の同期確立信号を略一定間隔で送信する（ステップＳ３０）。
そして、クライアント端末装置４にて無線リンクの確立が指示された場合には、通信制御部４１のＭＡＣ４１ｂが、ステップＳ２３〜ステップＳ２５と略同様にして、サーバ装置２とクライアント端末装置４との間で無線リンクが確立された場合には（ステップＳ３１〜ステップＳ３３）、サーバ装置２の通信制御部２１は、ＣＰＵ２６の制御下にて、更新済の優先順位テーブルＴをクライアント端末装置４に対して送信する（ステップＳ３４）。
【００５４】
クライアント端末装置４にあっては、サーバ装置２から送信された優先順位テーブルＴが通信制御部４１を介して受信されると（ステップＳ３５）、ＣＰＵ４５は、優先順位テーブル更新プログラム２８ａを実行して、情報記憶部２２に記憶されている優先順位テーブルＴの情報を最新の情報に更新する（ステップＳ３６）。
【００５５】
以上のように、本実施形態のクライアント・サーバシステム１００によれば、サーバ装置２が、クライアント端末装置４と非接続状態にて無線ＬＡＮの複数のチャンネルの使用状況を検索し、当該検索結果に基づいて複数のチャンネルの使用における優先順位を決定し、決定された優先順位に基づいて当該優先順位の高いチャンネルから順に無線ＬＡＮにおける使用チャンネルとして設定することができる。これにより、クライアント端末装置４とサーバ装置２との無線ＬＡＮのリンク確立に際して、予めサーバ装置２にて無線ＬＡＮの複数のチャンネルの使用状況を考慮して使用チャンネルを設定することができることとなって、無線ＬＡＮのリンク確立をより迅速に行うことができ、結果として、ユーザにとって使い勝手の良いクライアント・サーバシステム１００を提供することができる。
【００５６】
また、サーバ装置２は、クライアント端末装置４と接続状態にて優先順位テーブルＴを通信制御部２１によりクライアント端末装置４に送信することができる。さらに、クライアント端末装置４は、通信制御部４１により受信された優先順位テーブルに係る優先順位に基づいて、ＭＡＣ４１ｂにより当該優先順位の高いチャンネルから順に無線ＬＡＮにおける使用チャンネルとして設定することができる。従って、クライアント端末装置４にあっては、サーバ装置２との無線ＬＡＮのリンク切断後に再度リンクを確立する場合に、クライアント端末装置４とサーバ装置２との無線ＬＡＮのリンク確立に際して、受信された優先順位テーブルＴに基づいて無線ＬＡＮの複数のチャンネルの使用状況を考慮して使用チャンネルを設定することができる。
さらに、サーバ装置２にあっては、クライアント端末装置４との無線ＬＡＮのリンクを確立する際に、情報記憶部２２に記憶された優先順位テーブルＴに基づいて使用チャンネルの設定をより迅速に行うことができるとともに、クライアント端末装置４と接続された際に通信制御部２１により優先順位テーブルＴをクライアント端末装置４に送信することができる。
また、クライアント端末装置４にあっては、サーバ装置２との無線ＬＡＮのリンク切断後に再度リンクを確立する場合に、通信制御部４１を介して受信され情報記憶部４２に記憶された優先順位テーブルＴに基づいて使用チャンネルの設定をより迅速に行うことができる。
さらに、サーバ装置２にあっては、複数のチャンネルの使用における優先順位が決定される毎に、情報記憶部２２に記憶される優先順位テーブルＴを更新することができるので、更新された優先順位テーブルＴに基づいて使用チャンネルの設定をより適正に行うことができる。
また、クライアント端末装置４にあっては、サーバ装置２から送信された優先順位テーブルＴが通信制御部４１により受信される毎に、情報記憶部４２に記憶される優先順位テーブルＴを更新することができるので、サーバ装置２との無線ＬＡＮのリンク切断後に再度リンクを確立する場合に、更新された優先順位テーブルＴに基づいて使用チャンネルの設定をより適正に行うことができる。
さらに、サーバ装置２は、複数のチャンネルの使用状況の検索時に係る検索時間情報を取得することができるので、当該検索時間情報に基づいて所定時間における複数のチャンネルの使用状況を取得することができ、時間帯に応じて使用チャンネルの設定をより適正に行うことができる。
また、検索時間情報を含む優先順位テーブルＴがクライアント端末装置４に送信されるので、クライアント端末装置４にあっては、サーバ装置２との無線ＬＡＮのリンク切断後に再度リンクを確立する場合に、取得した検索時間情報に基づいて使用チャンネルの設定を時間帯に応じてより適正に行うことができる。
【００５７】
なお、本発明は、上記実施形態に限定されることなく、本発明の趣旨を逸脱しない範囲において、種々の改良並びに設計の変更を行っても良い。
例えば、サーバ装置２は、作成した優先順位テーブルＴをクライアント端末装置４に対して送信し、クライアント端末装置４にて、当該優先順位テーブルＴを用いて使用チャンネルを設定するようにしたが、これに限られるものではなく、優先順位テーブルＴをサーバ装置２からクライアント端末装置４に送信するか否かは適宜変更しても良い。
【００５８】
また、サーバ装置２及びクライアント端末装置４の各々に優先順位テーブルＴを記憶する情報記憶部２２、４２を備えるようにしたが、これに限られるものではなく、情報記憶部２２、４２を備えるか否かはサーバ装置２及びクライアント端末装置４にて個別に変更しても良い。
【００５９】
さらに、上記実施形態では、優先順位テーブルＴを一日の間で所定時間毎に複数回作成するようにしたが、これに限られるものではなく、一日の所定の時に一度作成するようにしても良い。
加えて、優先順位テーブルＴを随時更新するようにしたが、これに限られるものではなく、一度作成後は同一の優先順位テーブルＴを継続して使用するようにしても良い。即ち、回線が混雑していないような環境下においてクライアント・サーバシステム１００を使用する場合には、所定のチャンネルを一度設定しさえすれば再度設定する必要がない場合もあるからである。
【００６０】
また、上記実施形態では、無線ＬＡＮカード２１１、４１１を搭載し、当該無線ＬＡＮカード２１１、４１１を用いて無線ネットワークＮに接続するような構成としたが、これに限られるものではなく、無線ＬＡＮを確立可能であれば如何なる構成であっても良い。
【図面の簡単な説明】
【００６１】
【図１】本発明を適用した好適な一実施形態のクライアント・サーバシステムの全体構成を模式的に示した図である。
【図２】図１のクライアント・サーバシステムを構成するサーバ装置の要部構成を示すブロック図である。
【図３】図２のサーバ装置の情報記憶部に記憶される優先順位テーブルを模式的に示した図である。
【図４】図１のクライアント・サーバシステムを構成するクライアント端末装置の要部構成を示すブロック図である。
【図５】図１のクライアント・サーバシステムによるリンク確立処理に係る動作の一例を示すフローチャートである。
【図６】図１のクライアント・サーバシステムによるリンク確立処理に係る動作の一例を示すフローチャートである。
【符号の説明】
【００６２】
１００    クライアント・サーバシステム
２        サーバ装置
２１      通信制御部（優先順位情報送信手段）
２１１    無線ＬＡＮカード
２１ｂ    ＭＡＣ（チャンネル使用状況検索手段、優先順位決定手段、サーバ側使用チャンネル設定手段、サーバ側優先順位情報更新手段）
２２      情報記憶部（サーバ側優先順位情報記憶手段）
４        クライアント端末装置
４１      通信制御部（優先順位情報受信手段）
４１１    無線ＬＡＮカード
４１ｂ    ＭＡＣ（クライアント側使用チャンネル設定手段、クライアント側優先順位情報更新手段）
４２      情報記憶部（クライアント側優先順位情報記憶手段）
Ｔ        優先順位テーブル
Ｎ        無線ネットワーク
【図１】
2007134974.tif 000003
【図２】
2007134974.tif 000004
【図３】
2007134974.tif 000005
【図４】
2007134974.tif 000006
【図５】
2007134974.tif 000007
【図６】
2007134974.tif 000008